(57)【要約】【課題】面倒な接続操作なく充電式電池に充電でき、充電スタンド側でも操作して携帯型再生装置の出力をスピーカで楽しめる再生装置を提供する。【解決手段】携帯型再生装置１を充電スタンド２に装着すると、携帯型再生装置１に充電でき、携帯型再生装置１による演奏をスピーカから再生できるとともに、装着により操作ボタン群１０、３のいずれの操作ボタンをも操作しなくても制御入力端子２８の電位が変化して、制御手段２１は携帯型再生装置１が充電スタンド２に装着されたことを検知する。すると制御手段２１は、ホールドボタン１４がオンになっていて携帯型再生装置１が操作ボタン群１０により操作できない場合でも、充電スタンド２の操作ボタン群３で操作できるように制御し、対応する操作ボタン群１０の各ボタンと同じ操作が可能になる。【選択図】　図６
2004139661.tif 000002
【特許請求の範囲】
【請求項１】
携帯型再生装置と、前記携帯型再生装置を装着可能な充電スタンドとを備え、
前記携帯型再生装置は、少なくとも再生手段と、前記再生手段を動作させるための制御手段と、前記制御手段に指示を与える本体側操作ボタン群と、充電式電池とを有し、
前記充電スタンドは、前記充電式電池に充電可能な充電回路と、前記携帯型再生装置の本体側操作ボタン群と同様に前記制御手段に指示可能なスタンド側操作ボタン群とを有し、
前記携帯型再生装置を前記充電スタンドに装着した状態では前記充電式電池に充電することが可能であるとともに、前記スタンド側操作ボタン群の操作によって、前記制御手段に指示を与えて前記再生手段の動作を制御するように構成したことを特徴とする再生装置。
【請求項２】
前記充電スタンドは、さらに、前記携帯型再生装置の出力のオーディオ信号を入力する入力端子と、オーディオ信号を出力する出力端子とを有することを特徴とする請求項１記載の再生装置。
【請求項３】
前記充電スタンドは、さらに、前記携帯型再生装置の出力のオーディオ信号を入力する入力端子と、前記入力端子から入力したオーディオ信号を増幅するスピーカ増幅器と、前記スピーカ増幅器で増幅されたオーディオ信号を出力する出力端子とを有することを特徴とする請求項１記載の再生装置。
【請求項４】
前記充電スタンドは、さらに、前記携帯型再生装置の出力のオーディオ信号を入力する入力端子と、前記入力端子から入力したオーディオ信号を増幅するスピーカ増幅器と、前記スピーカ増幅器で増幅されたオーディオ信号を音に変換して放音するスピーカとを有することを特徴とする請求項１記載の再生装置。
【請求項５】
前記携帯型再生装置の本体側操作ボタン群と、前記充電スタンドのスタンド側操作ボタン群とは、前記携帯型再生装置の制御手段の共通の制御入力端子に接続されることを特徴とする請求項１記載の再生装置。
【請求項６】
前記携帯型再生装置の制御手段は制御入力端子に印加された電圧をデジタル値に変換するＡＤ変換機能を有し、
前記携帯型再生装置の本体側操作ボタン群の個々のボタンに対応する前記充電スタンドのスタンド側操作ボタン群の個々のボタンにおいて、同じ機能のボタンを押したときは同じ電圧値が前記制御入力端子に印加されるように構成したことを特徴とする請求項５記載の再生装置。
【請求項７】
前記本体側操作ボタン群と前記スタンド側操作ボタン群のいずれも操作しない状態で、前記携帯型再生装置を充電スタンドに装着した場合と装着しない場合で異なる電圧値が前記制御入力端子に印加されるように構成したことを特徴とする請求項５記載の再生装置。
【請求項８】
前記携帯型再生装置はさらにホールドボタンを有し、
前記制御手段は前記ホールドボタンがオフのときは、前記携帯型再生装置が前記充電スタンドに装着されているかどうかにかかわらず前記制御入力端子の入力情報を有効にし、
前記制御手段は前記ホールドボタンがオンのときは、前記携帯型再生装置が前記充電スタンドに装着されていないときは前記制御入力端子の入力情報を無効にし、
前記携帯型再生装置が前記充電スタンドに装着されているときは前記制御入力端子の入力情報を有効にするように構成したことを特徴とする請求項５記載の再生装置。
【発明の詳細な説明】
【０００１】
【発明の属する技術分野】
本発明は、ポータブルミニディスク（ＭＤ）プレーヤや、半導体メモリプレーヤなどに代表される携帯型の音楽再生装置に関するものである。
【０００２】
【従来の技術】
従来、携帯型の再生装置として、ポータブルＭＤプレーヤやポータブルコンパクトディスク（ＣＤ）プレーヤがある。
【０００３】
これらは、電源に電池を使用し、戸外で手軽に音楽を楽しむことができる。
【０００４】
たとえば、特開平５−３４２５８５号公報には、電源に電池を使用し、消費電力をおさえて長時間使用できるように構成されたポータブルＭＤプレーヤが記載されている。
【０００５】
【特許文献１】
特開平５−３４２５８５号公報（全文）
【０００６】
【発明が解決しようとする課題】
これら従来の携帯型再生装置は、インサイドホンで手軽に音楽を楽しむことはできるが、スピーカで音楽を聴くためには、別のオーディオシステムに接続しなければならないという面倒があった。
【０００７】
本発明は、携帯型再生装置単独で本体側操作ボタンを操作してインサイドホンなどで手軽に音楽を楽しめ、充電スタンドに装着したときには携帯型再生装置の充電式電池に充電することもでき、そのときには充電スタンド側の操作ボタンで携帯型再生装置を操作でき、面倒な接続無しでスピーカで音楽を楽しむこともできる携帯型再生装置を提供することを目的としてなされたものである。
【０００８】
【課題を解決するための手段】
この課題を解決するために本発明の再生装置は、基本の構成として、携帯型再生装置と、前記携帯型再生装置を装着可能な充電スタンドとを備え、前記携帯型再生装置は、少なくとも再生手段と、前記再生手段を動作させるための制御手段と、前記制御手段に指示を与える本体側操作ボタン群と、充電式電池とを有し、前記充電スタンドは、前記充電式電池に充電可能な充電回路と、前記携帯型再生装置の本体側操作ボタン群と同様に前記制御手段に指示可能なスタンド側操作ボタン群とを有し、前記携帯型再生装置を前記充電スタンドに装着した状態では前記充電式電池に充電することが可能であるとともに、前記スタンド側操作ボタン群の操作によって、前記制御手段に指示を与えて前記再生手段の動作を制御するように構成したものであり、携帯型再生装置を充電スタンドに装着するだけで、充電スタンド側の操作ボタン群で携帯型再生装置の操作を行うことができるという作用を有する。
【０００９】
また、この基本の構成に対して、前記充電スタンドは、さらに、前記携帯型再生装置の出力のオーディオ信号を入力する入力端子と、オーディオ信号を出力する出力端子とを有する構成とすることもでき、この再生装置に、増幅器内蔵のスピーカを接続することでスピーカ再生が可能になるという作用を有する。
【００１０】
また、上記基本構成に対して、前記充電スタンドは、さらに、前記携帯型再生装置の出力のオーディオ信号を入力する入力端子と、前記入力端子から入力したオーディオ信号を増幅するスピーカ増幅器と、前記スピーカ増幅器で増幅されたオーディオ信号を出力する出力端子とを有する構成とすることができ、この構成によれば増幅器を持たないスピーカを接続することでスピーカ再生が可能になるという作用を有する。
【００１１】
また、上記基本構成に対して、前記充電スタンドは、さらに、前記携帯型再生装置の出力のオーディオ信号を入力する入力端子と、前記入力端子から入力したオーディオ信号を増幅するスピーカ増幅器と、前記スピーカ増幅器で増幅されたオーディオ信号を音に変換して放音するスピーカとを有する構成とすることができ、この構成によれば、携帯型再生装置から発生するオーディオ信号をスピーカから放音することができるという作用を有する。
【００１２】
また、上記基本構成に対して、前記携帯型再生装置の本体側操作ボタン群と前記充電スタンドのスタンド側操作ボタン群とは、前記携帯型再生装置の制御手段の共通の制御入力端子に接続されるという構成を加えて第二の基本構成とし、この第二の基本構成によれば、制御手段の端子数が節約できるという作用を有する。
【００１３】
また、上記第二の基本構成に対して、前記携帯型再生装置の制御手段は制御入力端子に印加された電圧をデジタル値に変換するＡＤ変換機能を有し、前記携帯型再生装置の本体側操作ボタン群の個々のボタンに対応する前記充電スタンドのスタンド側操作ボタン群の個々のボタンにおいて、同じ機能のボタンを押したときは同じ電圧値が前記制御入力端子に印加されるように構成することができ、この構成によれば制御手段の処理が簡単になるという作用を有する。
【００１４】
また、上記第二の基本構成に対して、前記本体側操作ボタン群と前記スタンド側操作ボタン群のいずれも操作しない状態で、前記携帯型再生装置を充電スタンドに装着した場合と装着しない場合で異なる電圧値が前記制御入力端子に印加されるように構成することもでき、この構成によれば、前記入力端子の電圧を監視することで前記携帯型再生装置が充電スタンドに装着されているかどうかを判定できるという作用を有する。
【００１５】
また、上記第二の基本構成に対して、前記携帯型再生装置はさらにホールドボタンを有し、前記制御手段は前記ホールドボタンがオフのときは前記携帯型再生装置が前記充電スタンドに装着されているかどうかにかかわらず前記制御入力端子の入力情報を有効にし、前記制御手段は前記ホールドボタンがオンのときは、前記携帯型再生装置が前記充電スタンドに装着されていないときは前記制御入力端子の入力情報を無効にし、前記携帯型再生装置が前記充電スタンドに装着されているときは前記制御入力端子の入力情報を有効にするように構成することができ、この構成によれば、ホールドボタンがオンのときに充電スタンドに装着して、充電スタンド側の操作ボタン群の操作が受け付けなくなるという不都合を回避できるという作用を有する。
【００１６】
【発明の実施の形態】
以下本発明の実施の形態について、図１から図６を用いて説明する。図１は本発明の一実施の形態における再生装置の正面側から見た斜視図、図２は同じく再生装置の背面側から見た斜視図、図３は同じく携帯型再生装置の背面斜視図、図４は同じく携帯型再生装置の底面図、図５は同じく再生装置のブロック図、図６は同じく携帯型再生装置と充電スタンドの各操作ボタン群の回路図を示す。
【００１７】
図１において、携帯型再生装置１として、ここでは、ＭＤプレーヤを用いている。充電スタンド２は携帯型再生装置１の充電式電池に充電する充電回路とスピーカ増幅器を内蔵している。携帯型再生装置１は充電スタンド２に着脱可能である。充電スタンド２には操作ボタン群３が取り付けられていて、携帯型再生装置１の各種機能を操作する。操作ボタン群３には一例として個別ボタン１７〜１９を有し、スタート／ストップボタン１７は停止中にはスタートボタンとして、再生中にはストップボタンとして働く。スキップ／サーチボタン１８は、通常はスキップボタン（曲選択）として働くが、再生中に押し続けられるとサーチボタン（早送り・早戻し）として働く。音量調整ボタン１９は音量の大、小を調整する。スピーカ４，５は充電スタンド２に接続されている。
【００１８】
図２は図１の各部を背面から見た図であるが、図１と異なり、携帯型再生装置１は装着されていない状態を示す。スピーカ４、５のそれぞれのスピーカコード６、７のプラグはオーディオ出力端子２９，３０にそれぞれ接続する。ＡＣアダプタ８の出力プラグはＤＣ入力端子３１に接続し、充電スタンド２に内蔵の充電回路とスピーカ増幅器に電源を供給する。
【００１９】
図３において、インサイドホン端子９には携帯時にリモコン付きインサイドホンを接続する。操作ボタン群１０は、充電スタンドの操作ボタン群３と同様、携帯型再生装置１の動作を指示する。操作ボタン群１０を構成する個別のボタン１１〜１３において、スタート／ストップボタン１１は充電スタンド２のスタート／ストップボタン１７と同様の機能である。スキップ／サーチボタン１２は、充電スタンド２のスキップ／サーチボタン１８と同様の機能である。音量調整ボタン１３は、充電スタンド２の音量調整ボタン１９と同様の機能である。ホールドボタン１４は、オンのときは携帯型再生装置１の操作ボタン群１０の機能を受け付けないようにする。これは、かばんの中などで、知らない間に電源が入ったり、再生が中断するなどの誤動作を防ぐものである。
【００２０】
図４において、携帯型再生装置１の充電式電池ふた１５の内部に充電式電池が内蔵されている。充電スタンド接続端子１６は充電スタンド２との接続に用いる。
【００２１】
図５の携帯型再生装置１において、制御手段２１は、ホールドボタン１４、操作ボタン群１０、充電スタンド２の操作ボタン群３等からの入力を受け、また後に説明するリモコン２６からの指示に応じて再生手段２２の動作を制御する。また、制御手段２１は、携帯型再生装置１が充電スタンド２に装着されていることを検知して、後に説明する充電スタンド２の充電回路２４を駆動する。再生手段２２は、制御手段２１からの制御情報に基づき、音楽等を再生し、インサイドホン端子９と充電スタンド接続端子１６にオーディオ信号を出力する。リモコン２６はインサイドホン端子９からオーディオ信号を受け取り、インサイドホン２７へ送り出す。インサイドホン２７は、受け取ったオーディオ信号を音に変換する。また、リモコン２６は、インサイドホン端子９を経由して制御信号を制御手段２１へ送信する。充電式電池２３は、制御手段２１と再生手段２２に電源を供給する。
【００２２】
充電スタンド２において、本体接続端子２０は携帯型再生装置１が充電スタンド２に装着された時、充電スタンド接続端子１６と接続する。充電回路２４は本体接続端子２０と充電スタンド接続端子１６を経由して制御手段２１の情報を受け取り、その情報に応じて充電式電池２３を充電する。スピーカ増幅器２５は、再生手段２２から充電スタンド接続端子１６と本体接続端子２０を経由して送られてきたオーディオ信号を増幅し、オーディオ出力端子２９と３０、スピーカコード６と７を介してスピーカ４と５を駆動する。充電回路２４とスピーカ増幅器２５は、ともにＡＣアダプタ８からＤＣ入力端子３１を介して電源を供給される。
【００２３】
図６において、携帯型再生装置１、充電スタンド２、充電スタンド２上の操作ボタン群３、携帯型再生装置１上の操作ボタン群１０、ホールドボタン１４、充電スタンド接続端子１６、本体接続端子２０、制御手段２１等は図５と同様であり、制御手段２１の入力端子２８内部にはＡ／Ｄ変換機能を有している。
【００２４】
携帯型再生装置１の操作ボタン群１０は直接に制御入力端子２８に接続されていて、また充電スタンド２の操作ボタン群３は、本体接続端子２０、充電スタンド接続端子１６を介して制御入力端子２８に接続されている。制御入力端子２８には２．２Ｖの電源に抵抗器Ｒ０を介して接続されている。操作ボタン群１０の各スイッチＳＷ１１、ＳＷ１２、ＳＷ１３、ＳＷ１４は、操作ボタン群３の各スイッチＳＷ２１、ＳＷ２２、ＳＷ２３、ＳＷ２４とそれぞれ同じ機能を割り付けてある。操作ボタン群１０の各スイッチ間にある抵抗器Ｒ１１、Ｒ１２、Ｒ１３、Ｒ１４と、操作ボタン群３の各スイッチ間にある抵抗器Ｒ２１、Ｒ２２、Ｒ２３、Ｒ２１は、それぞれ同じ抵抗値である。これにより、操作ボタン群１０を構成するスイッチＳＷ１１、ＳＷ１２、ＳＷ１３、ＳＷ１４がそれぞれ押されたときの制御入力端子２８の電位は、操作ボタン群３を構成するスイッチＳＷ２１、ＳＷ２２、ＳＷ２３、ＳＷ２４がそれぞれ押されたときの電位と各々等しくなる。すなわち、操作ボタン群１０と操作ボタン群３は、共通の入力端子２８に接続されており、かつ同じ機能のスイッチは制御入力端子２８に同じ電位を与えることになるので、制御手段２１は、押されたスイッチが携帯型再生装置１上にあるのか、それとも充電スタンド２上にあるのかを区別する必要がなく、処理が極めて簡単になる。
【００２５】
また、操作ボタン群３の最下位に抵抗器Ｒ２５を入れている。これにより、スイッチが操作されていない場合、携帯型再生装置１が充電スタンド２に装着された場合と装着されていない場合で制御入力端子２８の電位が変わる。制御手段２１は、制御入力端子２８の電位を常時監視することで、携帯型再生装置１が充電スタンド２に装着されているかどうかを判定することができる。
【００２６】
ホールドボタン１４の機能は、前述したように、知らない間に電源が入ったり、再生が中断したりするなどの誤動作を防ぐものであり、オンのときは操作ボタン群１０の機能を受け付けないようにするものである。しかしこの構成では、ホールドオンのとき、共通の入力端子２８に接続されている操作ボタン群３の機能も受け付けなくなってしまい、不都合が生じる。操作ボタン群３は、充電スタンド上のボタンであるから、機能は常に受け付ける状態にしておかなければならない。この不都合を解消するために、制御手段２１は、充電スタンドに装着されているかどうかを前述した方法で検知し、装着されているときはホールドボタン１４の状態にかかわらず入力端子２８からの入力を受け付けるようにしている。
【００２７】
以上のように構成された再生装置について、以下その動作を説明する。まず、携帯型再生装置１を充電スタンド２から取りはずし、リモコン２６とインサイドホン２７を取り付ける。次に操作ボタン群１０のスタート／ストップボタン１１を押す。操作ボタン群１０からの情報は、制御手段２１に送られる。制御手段２１は、ホールドボタン１４がオフであるならば、再生手段２２を駆動し演奏を開始する。ホールドボタン１４がオンならば、演奏を開始しない。演奏が始まると、オーディオ信号がインサイドホン端子９、リモコン２６を経由してインサイドホン２７に送られる。次に操作ボタン群１０のスタート／ストップボタン１１を押すと、演奏を停止する。
【００２８】
次に、携帯型再生装置１を充電スタンド２に装着する。制御手段２１は、抵抗器Ｒ２１〜Ｒ２５の接続で変化した電位により、充電スタンド２に装着されていることを検知すると、充電回路２４を駆動し、充電式電池２３の充電を開始する。次に、操作ボタン群３のスタート／ストップボタン１７を押す。操作ボタン群３からの情報は、本体接続端子１６、充電スタンド接続端子２０を経由して、制御手段２１に送られる。制御手段２１は、ホールドボタン１４の設定にかかわらず、再生手段２２を駆動し、演奏を開始する。演奏が始まると、オーディオ信号が、本体側接続端子１６、充電スタンド側接続端子２０を経由してスピーカ増幅器２５に送られる。スピーカ増幅器２５は、オーディオ信号を増幅し、スピーカ４と５を駆動する。次に操作ボタン群３のスタート／ストップボタン１７を押すと、演奏を停止する。
【００２９】
以上のように本実施形態によれば、携帯型再生装置１を充電スタンド２に装着することにより、充電スタンド２上のボタンによる携帯型再生装置１の操作が可能となり、さらに充電スタンド２に接続されたスピーカからの音の再生が可能になるという作用を有する。
【００３０】
また、本体側操作ボタン群１０とスタンド側操作ボタン群３は、制御手段２１の共通の制御入力端子２８に接続しているので、制御手段２１の端子数が節約できるという作用を有する。
【００３１】
また、入力端子２８はＡＤ変換機能を有しており、本体側操作ボタン群１０とスタンド側操作ボタン群３を構成する個々のボタンにおいて、本体側とスタンド側で同じ機能のボタンを押したときは同じ電圧値が入力端子２８に入力し、それによって同じデジタル情報を制御手段２１に入力するように構成しているので、制御手段２１の処理が簡単になるという作用を有する。
【００３２】
また、操作ボタン群１０と充電スタンドの操作ボタン群３をいずれも操作しない状態で、携帯型再生装置を充電スタンド２に装着した場合と装着しない場合で異なる電圧値が制御入力端子２８に入力するように構成しているので、制御入力端子２８の電圧を監視することで携帯型再生装置が充電スタンド２に装着されているかどうかを判定できるという作用を有する。
【００３３】
また、制御手段２１はホールドボタン１４がオフのときは、本体が充電スタンド２に装着されているかどうかにかかわらず制御入力端子２８の入力情報を有効にし、ホールドボタン１４がオンのときは、携帯型再生装置が充電スタンド２に装着されていないときは無効、装着されているときは有効にするように構成しているので、ホールドボタン１４がオンのときにスタンド側の操作ボタン群３を受け付けなくなるという不都合を回避できるという作用を有する。
【００３４】
なお、本実施の形態では、充電スタンドにスピーカ増幅器を内蔵する構成を示したが、充電スタンド内にスピーカ増幅器を持たず、各スピーカ側にスピーカ増幅器を備えてもよい。
【００３５】
また、本実施の形態では、充電スタンドとスピーカとをスピーカコードで接続する形態を示したが、充電スタンドとスピーカをひとつの筺体に収めてもよい。この場合は、スピーカと充電スタンドを接続するという手間が省けるという作用を有する。
【００３６】
なお、本実施形態では再生装置を用いて説明したが、記録機能を持った装置であってもこの範囲に含まれるのは当然である。
【００３７】
また再生、記録に用いる記録媒体の種類は問わない。
【００３８】
【発明の効果】
以上のように本発明によれば、携帯型再生装置を充電スタンドに装着するだけで、充電スタンドに備えられた操作ボタン群を有効にし、充電スタンドにスピーカが接続されているか、またはスピーカが内蔵されていると、さらにその操作ボタン群の操作によってスピーカから音楽が流れ、携帯型再生装置できわめて手軽にスピーカ再生を楽しむことのできる再生装置を提供できるという有利な効果が得られる。
【図面の簡単な説明】
【図１】本発明の一実施の形態における再生装置の正面側から見た斜視図
【図２】同じく再生装置の背面側から見た斜視図
【図３】同じく携帯型再生装置の背面斜視図
【図４】同じく携帯型再生装置の底面図
【図５】同じく再生装置のブロック図
【図６】同じく携帯型再生装置と充電スタンドの各操作ボタン群の回路図
【符号の説明】
１　携帯型再生装置
２　充電スタンド
３　スタンド側操作ボタン群
４　スピーカ
５　スピーカ
６　スピーカコード
７　スピーカコード
１０　本体側操作ボタン群
１４　ホールドボタン
１６　充電スタンド接続端子
２０　本体接続端子
２１　制御手段
２２　再生手段
２３　充電式電池
２４　充電回路
２５　スピーカ増幅器
２８　制御入力端子
２９　オーディオ出力端子
３０　オーディオ出力端子
【図１】
2004139661.tif 000003
【図２】
2004139661.tif 000004
【図３】
2004139661.tif 000005
【図４】
2004139661.tif 000006
【図５】
2004139661.tif 000007
【図６】
2004139661.tif 000008